(57)【要約】      （修正有）【課題】引き出し式食器洗い機について、閉蓋動作のセンターリング（左右方向の位置調整）時に、センターリングによる抵抗のために洗浄槽の押し込みに動作の円滑さが損なわれないようにし、蓋体下面のパッキンが洗浄槽に当接して圧縮された状態で過大な位置調整力が蓋体に作用することがないようにする。【解決手段】下面にパッキンを備えた蓋体が洗浄機本体１に昇降自在に支持され、洗浄槽２の押し込み動作で開蓋バネに抗して蓋体３を下降させて閉蓋させるよう引き出し式食器洗い機を構成し、蓋体３の下面の前方又は後方の左右にカム凹部３ａを、洗浄槽の上面の前方又は後方の左右にカム凸部を設け、上記カム凹部、カム凸部は、蓋体が下降したとき、上記カム凹部にカム凸部が嵌り込んで蓋体を洗浄槽上縁面に対して左右方向に移動させるカム面を有し、上記カム凸部が左右方向に弾性を有し、左右方向の力を受けたときに弾性的に変形するようにした。【選択図】 図３
2008167919.tif 000002
【特許請求の範囲】
【請求項１】
洗浄槽がレールを介して洗浄機本体に出し入れ自在に支持され、下面にパッキンを備えた蓋体が洗浄機本体に昇降自在に支持されており、洗浄槽の押し込み動作に連動して開蓋バネに抗して蓋体を下降させて閉蓋するようになっている引き出し式食器洗い機において、
蓋体の下面の前方又は後方の左右にカム凹部（又はカム凸部）があり、
洗浄槽の上面の前方又は後方の左右にカム凸部（又はカム凹部）があり、
上記カム凹部、カム凸部は、蓋体が下降したとき、上記カム凹部にカム凸部が嵌り込んで蓋体を洗浄槽の上縁面に対して左右方向に移動させるカム面を有し、
上記カム凸部が左右方向に弾性を有し、左右方向の力を受けたときに弾性的に変形するようになっている引き出し式食器洗い機。
【請求項２】
洗浄槽の押し込み動作の最終段階で閉蓋動作が開始され、当該閉蓋動作の最終段階で上記カム凸部がカム凹部に嵌合し始め、閉蓋動作が終わるとき、蓋体の洗浄槽に対する左右方向位置の調整（センターリング）も終わるように上記カム凸部とカム凹部との作用範囲が規制されている、請求項１の引き出し式食器洗い機。
【請求項３】
洗浄槽がレールを介して洗浄機本体に出し入れ自在に支持され、下面にパッキンを備えた蓋体が洗浄機本体に昇降自在に支持されており、洗浄槽の押し込み動作に連動して開蓋バネに抗して蓋体を下降させて閉蓋するようになっている引き出し式食器洗い機において、
蓋体の下面の前方及び後方の中央にカム凹部（又はカム凸部）があり、
洗浄槽の上面の前方及び後方の中央にカム凸部（又はカム凹部）があり、
上記カム凹部、カム凸部は、蓋体が下降したとき、上記カム凹部にカム凸部が嵌り込んで蓋体を洗浄槽の上縁面に対して左右方向に移動させるカム面を有し、
上記カム凸部が左右方向に弾性を有し、左右方向の力を受けたときに弾性的に変形するようになっている引き出し式食器洗い機。
【発明の詳細な説明】
【技術分野】
【０００１】
この発明は、引き出し式食器洗い機、殊にその蓋体の洗浄槽に対する左右方向の位置を自動的に調整するセンターリング機構に関するものであり、蓋体の下面にパッキンがあり、洗浄槽の出し入れ動作に連動して開蓋バネに抗して蓋体が昇降し、これによって洗浄槽が開閉される食器洗い機について、蓋体の洗浄槽に対する左右方向の位置ずれのために蓋体と洗浄槽間の密封性が低下するのを防止するものである。
【背景技術】
【０００２】
洗浄機本体の底面に設けた左右のレールで洗浄槽が出し入れ自在に支持されており、洗浄槽の出し入れ動作に連動して昇降するように蓋体が洗浄槽本体に支持されており、蓋体のパッキンが洗浄槽の上縁面に当接して蓋体と洗浄槽間を密封するものがある。
【０００３】
そして、上記蓋体の支持機構として前後左右の４つの平行リンクを用い、蓋体を戻しバネ（開蓋バネ）で前方に付勢してあり、洗浄槽の押し込み動作によりその後端で蓋体後端に下向きに設けられたフランジを押して、上記戻しバネに抗して蓋体を後方に移動させ、上記平行リンクで斜め下方に移動させて閉蓋させるものがある（特許第３７８９７７５号公報の第１５図参照）。
【０００４】
また、開蓋バネである線材バネの中央を洗浄機本体に取付け、前後両端で蓋体を支持させ、洗浄槽の外側面の傾斜カムと蓋体の外側部にカムローラを設けてあり、洗浄槽の押し込み動作で上記傾斜カムと上記カムローラとが当接してカム作用を奏し、このカム作用で、上記線材バネに抗して蓋体を引き下げるようにしたものがある（特許第３７８９７７５号公報）。この後者の構成の概要は図８、図９、図１０に示すとおりであり、その洗浄機本体２０１の底の左右のレールＲによって、洗浄槽２０２が出し入れ自在に支持されている。
【０００５】
洗浄機本体２０１の側壁面に線材バネ２０４の中央部が係止されており、この線材バネ２０４の前後両端２０４ａ，２０４ａで蓋体２０３を支えている。
洗浄機本体２０１にガイドローラ２０１ａがあり、蓋体２０３の左右両側に設けた支持板２０５に縦方向スロット２０５ａがあり、当該縦方向スロット２０５ａに上記ガイドローラ２０１ａが嵌っていて、蓋体２０３の昇降動作を案内している。
【０００６】
洗浄槽２０２の前後左右に傾斜カム２１１があり、これに対向するカムローラ２３１が蓋体２０３の左右の支持板２０５の前後に設けられている。
洗浄槽２０２が押し込まれると、その押し込み動作の最終段階で、上記傾斜カム２１１の傾斜カム面２１１ａに上記カムローラ２３１が当接して押し下げられる。これによって蓋体２０３が引き下げられ、そのパッキンｐが洗浄槽２０２の上縁面に当接して洗浄槽が密閉される。
【０００７】
上記背景技術においては、蓋体下面にパッキンｐが固定されており、閉蓋時に上記パッキンｐが洗浄槽の上縁面に当接して蓋体と洗浄槽上縁面間を密封する。しかし、組み立て誤差、洗浄機本体の歪みなどで洗浄槽２０２の上縁面に対してパッキンｐが左右方向に大きく位置ずれしていると、パッキンｐによる密封性が低下し、蒸気漏れ、水漏れを生じることになる。
洗浄槽２０２はレールＲで洗浄機本体２０１の底面に支持されており、蓋体２０３は洗浄機本体に平行リンクや線材バネ等で昇降自在に支持されているので、洗浄槽の洗浄機本体２０１に対する左右方向の組み付け誤差及び蓋体の洗浄機本体に対する組み付け誤差によって蓋体と洗浄槽間に左右方向位置ずれが生じ、また、輸送時や設置時の取扱不備による洗浄機本体の変形、加工バラツキや熱的劣化等による洗浄槽の変形によっても同様に左右方向位置ずれが生じる。
【０００８】
〔従来技術１〕
ところで、蓋体の洗浄槽に対する左右方向の位置ずれを調整して位置合わせをすることを目的とした発明は既に公知であり、その一例が特許第３２７５８８５号公報に記載されている。この公知例は、洗浄槽の洗浄機本体に対する左右方向のセンターリング機構（位置調整機構）を備えていて、洗浄槽の押し込み動作で上記センターリング機構が働いて、洗浄槽の洗浄機本体に対する左右方向の位置合わせを行うものである。しかしこのものは、洗浄槽の洗浄機本体に対する左右方向の位置ずれを調整することで、間接的に蓋体の洗浄槽に対する左右方向の位置ずれを調整するものであるが、蓋体の洗浄機本体に対する位置ずれを直接調整する機能はないから、実際問題として、洗浄槽の洗浄機本体に対する左右方向の位置ずれが解消されず、したがって、蓋体の洗浄槽に対する位置合わせ精度が低くなるのは避けられない。
【０００９】
〔従来技術２〕
また、蓋体と洗浄槽間の左右方向位置ずれを防止することを目的とする発明として、蓋体の洗浄槽に対する左右方向のセンターリング機構（位置調整機構）を備えていて、洗浄槽の押し込み動作で上記センターリング機構が働いて、蓋体の洗浄槽に対する左右方向の位置合わせを行うものも公知である（特許第３４１７３５２号公報、特許第３４１７３５３号公報）。このものは、蓋体の洗浄槽に対する位置を直接調整するものであるから、蓋体の洗浄槽に対する位置合わせの精度は高い。この従来技術（従来技術２）の一例が図１１、図１２に示されている。
【００１０】
この従来技術２は、下面にパッキンを備えた蓋体１０３が平行リンク１０４で洗浄機本体１０１に支持されている形式のものである。そして、洗浄槽１０２が押し込まれると、その後端の押圧部１０２ａで蓋体１０３の下面に突設されたフランジ１０３ａを押して戻しバネ１０３ｓに抗し蓋体１０３を後退させながら平行リンク１０４で引き下げる食器洗い機について、センターリング機構を設けたものである。
【００１１】
そして、上記従来技術のセンターリング機構は、洗浄槽１０２の前方の左右両端に第１のガイド１０２ｂを設け、蓋体１０３の前方の左右両端に第２のガイド１０３ｂを設けたものであり、洗浄槽１０２が押し込まれると、第１のガイド１０２ｂが蓋体１０３の第２のガイド１０３ｂに内側から接触して、左右方向にずれている分だけ、蓋体１０３を左右方向（ずれを調整する方向）に押して、洗浄槽に対する左右方向位置を調整（センターリング）する。そして、洗浄槽の押し込み動作の終点の近傍で、押圧部１０２ａが上記フランジ１０３ａに当接してこれを押し、平行リンク１０４で蓋体１０３が押し下げられて閉蓋させる。
【００１２】
以上が従来技術２の概要であるが、このものにおいてはセンターリングして後の閉蓋動作中に第１のガイド１０２ｂと第２のガイド１０３ｂとが当接して擦れ合うことになり、洗浄槽の押し込み動作の閉蓋前から閉蓋完了まで上記第１のガイドと第２のガイドとの摩擦力が抵抗として作用することになる。そして、蓋体の洗浄槽に対する左右方向のずれが大きいと、上記摩擦力が洗浄槽の押し込み動作に対する大きな抵抗となり、このため押し込み動作の円滑さが損なわれることになる。
【特許文献１】特許第３７８９７７５号公報
【特許文献２】特許第３２７５８８５号公報
【特許文献３】特許第３４１７３５２号公報
【特許文献４】特許第３４１７３５３号公報
【発明の開示】
【発明が解決しようとする課題】
【００１３】
蓋体の洗浄槽に対する左右方向の位置を調整する（センターリング）のは、閉蓋状態で洗浄槽の所定位置にパッキンを当接させるためであるから、これは閉蓋動作の前段階でなされる必要はなくて後段階（最終段階）でなされればよく、また、このようにすることによって、洗浄槽の押し込み動作に対する抵抗を抑制することができる。
他方、上記の位置調整が閉蓋動作の後段階でなされると、蓋体下面のパッキンが洗浄槽の上縁面に当接し、強く圧縮されてからも当該位置調整力が蓋体に作用する場合があり、そうすると、パッキンが過大な力を受けて大きくゆがめられ、パッキンの密封性能が低下しその耐久性が損なわれる可能性がある。
【００１４】
この発明は、上記従来技術について、蓋体の洗浄槽に対するセンターリング（左右方向の位置調整）が閉蓋動作の最終段階でなされるようにし、これによって、上記センターリングによる抵抗のために洗浄槽の押し込み動作の円滑さが損なわれることがないようにし、
さらに、蓋体下面のパッキンが洗浄槽に当接して圧縮された状態で過大な位置調整力が蓋体に作用することがないようにすることをその課題とするものである。
【課題を解決するための手段】
【００１５】
上記課題を解決するための手段は、洗浄槽がレールを介して洗浄機本体に出し入れ自在に支持され、下面にパッキンを備えた蓋体が洗浄機本体に昇降自在に支持されており、洗浄槽の押し込み動作に連動して開蓋バネに抗して蓋体を下降させて閉蓋させるようになっている引き出し式食器洗い機を前提として、次の（イ）〜（ニ）によるものである。
（イ）蓋体の下面の前方又は後方の左右にカム凹部があり、
（ロ）洗浄槽の上面の前方又は後方の左右にカム凸部があり、
（ハ）上記カム凹部、カム凸部は、蓋体が下降したとき、上記カム凹部にカム凸部が嵌り込んで蓋体を洗浄槽上縁面に対して左右方向に移動させるカム面を有し、
（ニ）上記カム凸部が左右方向に弾性を有し、左右方向の力を受けたときに弾性的に変形するようになっていること。
【００１６】
〔作用〕
洗浄槽が押し込まれるとき、その押し込み動作の最終段階になってから洗浄槽の閉蓋動作が開始される。
例えば、蓋体が平行リンクで洗浄機本体に支持されているものでは、洗浄槽で蓋体が後方に押されて平行リンクで引き下げられ、また、洗浄槽に傾斜カムがあり、蓋体にカムローラがあるものでは、上記傾斜カムでカムローラが押し下げられて、カムローラを介して蓋体が引き下げられる。
閉蓋動作が進んで蓋体下面のパッキンが洗浄槽の上縁面に接近する程度に下降すると、蓋体に設けられた上記カム凹部が洗浄槽に設けられた上記カム凸部に嵌合し始め、蓋体の下降に伴って深く嵌り込んでゆく。
【００１７】
上記カム凹部、カム凸部は、互いに嵌合することで蓋体を洗浄槽に対して左右方向に移動させるカム面を有するから、上記カム凹部、カム凸部が互いに嵌合されると、そのカム作用で、左右方向へずれている分だけ蓋体が左右方向に押し戻され、その洗浄槽に対する左右方向位置が調整され、調整された位置で洗浄槽を閉蓋する。
以上のように、洗浄槽の押し込み動作の最終段階で閉蓋動作が開始され、当該閉蓋動作の最終段階で上記カム凹部がカム凸部に嵌合し始め、そして、閉蓋動作が終了するまでに、蓋体の洗浄槽に対する左右方向位置の調整（センターリング）が完了することになる。
【００１８】
それゆえ、上記カム凸部とカム凹部とによる位置調整機構（センターリング機構）が洗浄槽の押し込み操作に対する抵抗となるのは、当該押し込み動作の最終段階での少しの間であるから、これが洗浄槽の押し込み動作の円滑さを損なうことはない。
【００１９】
他方、蓋体は左右方向の位置ずれが大きいと、その下面のパッキンが洗浄槽に強く圧接されてからも上記位置調整作用がなされることがあり、この場合は、パッキンと洗浄槽間の摩擦抵抗が大きくなり、上記位置調整作用に対する抵抗が大きくなる。
この発明のカム凸部は左右方向に弾性を有し、所定以上の左右方向力に対して弾性的に変形するようになっているから、パッキンが洗浄槽に当接する前の段階では、蓋体は左右方向に軽く動かされるが、パッキンと洗浄槽間の摩擦抵抗が大きくなると、蓋体の左右方向への動きに対する抵抗が急に大きくなるので、この抵抗に負けてカム凸部が左右方向に弾性的に変形する。したがって、蓋体に対する位置調整作用によってそれ以上蓋体が左右方向に無理に押されることはなく、そのパッキンが無理に引きずられて大きくゆがめられることは回避される。
【００２０】
なお、カム凹部を洗浄槽に設け、カム凸部を蓋体に設ける構成でもセンターリング機構として支障なく機能するから、カム凸部を洗浄槽と蓋体のいずれに設けるかは選択的設計的事項の範囲内のことである。
【００２１】
なお、上記カム凸部の根元に溝を設けて弱くすることによりカム凸部に左右方向の弾性を持たせることができ、また、カム凸部をゴム板などの弾性板を介して洗浄槽上面に固定してカム凸部に左右方向力に対する弾性を持たせることができる。
【発明の効果】
【００２２】
以上のとおり、閉蓋動作における蓋体の下降で互いに嵌合するカム凸部とカム凹部とを蓋体下面、洗浄槽上面に設けたことで、洗浄槽の押し込み動作の最終段階で蓋体の洗浄槽に対する位置調整（センターリング）がなされるので、この位置調整による洗浄槽の押し込み動作に対する抵抗を最小限にすることができる。
また、上記カム凸部及びカム凹部を蓋体又は洗浄槽の前方及び後方の左右に上記位置合わせカムを設けることで、蓋体全体の洗浄槽に対する左右方向の位置合わせ精度を一層高くすることができる。
【００２３】
そして、上記カム凸部が左右方向に弾性変形可能であるから、蓋体下面のパッキンが洗浄槽に強く圧接されて摺動抵抗が大きくなり、その結果、蓋体の左右方向移動に対する抵抗が大きくなると、カム凸部が傾斜面のカム作用で左右方向に強く押されるときはカム凸部が左右方向に大きく弾性変形するから、蓋体を左右方向に押す力が抑制される。したがって、パッキンが過大な引きずり力を受けて大きくゆがんでその密封性能が損なわれたり損傷したりすることは回避される。
【発明を実施するための最良の形態】
【００２４】
次いで、図面（図１，図２，図３）を参照して本発明の実施例を説明する。この実施例は、傾斜カムとカムローラによるカム作用で蓋体を引き下げて閉蓋する従来のもの（例えば特許第３７８９７７５号公報の従来技術）に本発明を適用したものである。
【実施例１】
【００２５】
実施例１の洗浄槽２は、洗浄機本体１にレールＲ（図８参照）で出し入れ自在に支持されており、また、洗浄機本体１に蓋体３が上下動自在に支持されている。
蓋体３は線材バネ４（図８参照）で押し上げられており、通常は開位置に保持されている。そして、洗浄槽２が洗浄機本体１に押し込まれたときに上記蓋体３がカム機構（傾斜カム１１とカムローラ３１によるもの）で上記線材バネ４に抗して引き下げられる。
【００２６】
蓋体３が引き下げられたときにパッキンｐが洗浄槽２の上縁面に圧接され、洗浄槽２が閉蓋される。蓋体３の左右両側に支持板１０がそれぞれ固定されており、当該支持板１０の前後両部にカムローラ３１が取付けられている。また、線材バネ４の中央が洗浄機本体１の側壁に係止されており、線材バネ４（図８の線材バネ２０４と同じ）の前後両側端でガイドローラ３２の軸を押し上げ、これによって蓋体３を押し上げている。
洗浄槽２の側壁の上方部の前後に傾斜カム１１，１１があり、他方、蓋体３に固定された支持板１０の前後にカムローラ３１，３１があって、これが上記傾斜カム１１，１１にそれぞれ対向しており、また、洗浄機本体１の左右両側壁の上方部の前後に傾斜ガイド孔１２，１２があり、他方、蓋体３の前後にガイドローラ３２，３２があって、これが上記傾斜ガイド孔１２にそれぞれ挿入されている。
【００２７】
洗浄槽２が洗浄機本体１に押し込まれるとき、その押し込みストロークの最終段階で洗浄槽２の傾斜カム１１，１１が前後のカムローラ３１，３１に当接してこれを傾斜カム面１１ａで押して、カムローラ３１を介して蓋体３を引き下げる。このとき、ガイドローラ３２が傾斜ガイド孔１２内を下方に移動しつつ、当該ガイド孔１２に沿って斜め後方に移動する。この斜め後方への移動によって、洗浄槽２の上縁面に対する後方への相対移動が少なくなり、蓋体３はこの状態で洗浄槽２の上面に対して降下することになる。したがって、洗浄槽２の上縁面が蓋体３のパッキンｐに当接してからの蓋体３に対して後方への移動は小さいから、上記パッキンｐが強く圧縮された状態で無理に引きずられてゆがめられることはない。
【００２８】
洗浄槽２の後方の左右両側の上面にカム凸部２ａ，２ａがそれぞれあり、他方、蓋体３の後方の左右両側にカム凹部（前後方向の長孔）３ａ，３ａがある。カム凸部２ａとカム凹部３ａとは、蓋体３の閉蓋動作で互いに嵌合するものであるから、前後方向に若干の相対運動を伴って嵌合することになるので、カム凹部３ａの前後方向長さがカム凸部２ａよりも若干大きく、その分だけ、前後方向の余裕をもって嵌合される。
【００２９】
上記カム凸部２ａ，２ａは上端が下端に対して後方に偏心した裁頭円錐体であり、カム凹部３ａ，３ａは内面が垂直な長孔である。蓋体３が引き下げられるとカム凸部２ａ，２ａがカム凹部３ａ，３ａに嵌り込むとき、蓋体３が洗浄槽２に対して左右方向にずれていると、左右いずれかのカム凸部２ａの傾斜カム面にカム凹部３ａの下端内面３ａ−１が当接し、そのカム作用で蓋体３を洗浄槽２に対して左右いずれかの方向に押し、これによって位置の調整（センターリング）がなされ、所定の位置に調整された状態で閉蓋される（図２参照）。カム凸部２ａとカム凹部３ａとの嵌め合い深さ及び傾斜カム面の角度を適当な範囲に選択することによって、必要な範囲での左右方向への位置調整を行うことができる。
【００３０】
嵌め合い深さを深くしてカム面の傾斜角度を小さくすることで、洗浄槽の押し込み動作に対する位置調整（センターリング）による抵抗の増加を抑制することができるが、蓋体の昇降高さとの関係からして、嵌め合い深さを余り深くすることもできないので、嵌め合い深さを３〜５ｍｍ程度にし、カム面の傾斜角度を２０度（円錐角度４０度）程度にするのがよい。
洗浄槽２が引き出されるときは、その引き出し動作の最初の段階で、カムローラ３１が傾斜カム１１のカム面に沿って上昇してカム面から外れ、蓋体３が線材バネ４で押し上げられて開蓋される。
【００３１】
カム凸部２ａは洗浄槽２とは別体のプラスチック製であり、弾性板２ｇを介して洗浄槽２の上面に接着して固定されている。
上記弾性板２ｇは硬質ゴム（例えば、硬度がＨｓ７０〜８０）のＥＰＤＭゴム）製の厚さ３〜４ｍｍであり、カム凸部２ａがカム凹部３ａの内面下端で強く押されると、これが弾性変形してカム凸部２ａが左右方向に弾性的に変形するようになっている。
【００３２】
この実施例では蓋体３のパッキンｐが洗浄槽２の上縁面に当接して洗浄槽が閉蓋された状態でパッキンｐと洗浄槽２間の摩擦抵抗は、例えば６ｋｇ程度以上になるので、カム凸部２ａは、蓋体３による洗浄槽２に対する閉蓋が完了する直前段階でカム凹部３ａに押されて横方向に変形することになる。これにより、パッキンｐがカム凸部２ａとカム凹部３ａとのカム作用で横方向に強く押されて著しくゆがめられることはない。
【００３３】
実施例１ではカム凸部２ａを洗浄槽２に設け、カム凹部３ａを蓋体下面に設けているが、これらを逆にして、カム凹部３ａを洗浄槽に設け、カム凸部２ａを蓋体３に設けた構造にすることもできる。
【実施例２】
【００３４】
実施例２は図４に示すものであり、カム凸部に弾性を持たせるための構造において実施例１と異なり、その他の構造においては実施例１と違いはない。実施例２のカム凸部２２はその形状においてカム凸部２ａと違いはないが、洗浄槽２の後部２ｄから一体に突設されているものであり、その根元に水平方向の切り欠き２２ｃがある。この切り欠き２２ｃによってカム凸部２２の根元は曲げに対する剛性が低くなり、横方向の力を受けると左右方向に弾性的に変形する。
【実施例３】
【００３５】
実施例３は図５に示すものであり、実施例１、実施例２に対してカム凸部をカム弾性板４２にした点、蓋体３の下面のカム凹部をカム窪み４３で構成した点で異なり、その他の構造では違いがない。
カム弾性板４２は厚さが０．６〜０．８ｍｍのバネ用鋼板を角度４５度のＶ形に曲げて製作されたものであり、カム窪み４３は内側面が傾斜面になっている。
カム弾性板４２は底辺４２ａと傾斜辺４２ｂによるもので、底辺４２ａに２つの孔があり、この孔に止めネジ４２ｈを挿入して洗浄槽２の上面に上記底辺４２ａを固定している。
【００３６】
閉蓋動作で蓋体３が下降すると、カム窪み４３にカム弾性板４２の傾斜辺４２ｂが嵌り込み、蓋体３が洗浄槽２に対して左右方向にずれていれば、左右いずれかのカム弾性板４２の傾斜辺４３ｂがカム窪み４３の傾斜面に当接し、そのカム作用で蓋体３を押して左右方向への位置調整（センタリング）がなされる。
【００３７】
カム弾性板４２のカム作用によって蓋体３が左右方向に押されて位置調整がなされる。しかし、蓋体３のパッキンｐが洗浄槽２に当接して洗浄槽３との摩擦力が増大すると、その後の蓋体３の左右方向への移動に対する抵抗（上記摩擦力による抵抗）が増大するので、この抵抗に負けてカム弾性板の傾斜辺４２ｂが弾性変形する。したがって、パッキンｐが洗浄槽２に当接して後、蓋体３の左右方向移動に対する抵抗が増大すると、蓋体３がカム凸部によって無理に左右方向に押され、そのためにパッキンｐが無理に引きずられて大きくゆがめられることは回避される。
【実施例４】
【００３８】
実施例４は図６に示しているものであり、カム凸部を容易に交換できるようにした例である。この実施例４のカム凸部２ａは洗浄槽２とは別体のもの、すなわち、実施例１のカム凸部２ａを止めねじ２ｓで洗浄槽２に固定したものである。このものにおけるカム凸部２ａの底面にネジ孔を設け、弾性板２ｇに中心孔を設け、洗浄槽の所定位置に孔を設けてあり、止めネジ２ｓを洗浄槽の孔から挿入してカム凸部２ａのネジ孔にねじ込んで、カム凸部２ａを洗浄槽に着脱自在に固定している。
例えば、カム凸部２ａの傾斜カム面、カム凹部３ａの内面が摩耗したときは、止めネジ２ａを外すことによってカム凸部２ａを容易に交換することができる。
【実施例５】
【００３９】
実施例５は図７に示しているものであり、カム凸部を容易に交換できるようにした他の例である。この実施例５のカム凸部５３は洗浄槽２とは別体で、裁頭円錐形状になっており、その下方の取付け部に環状溝５３ａが設けられている。
他方、洗浄槽２の上面に前後方向に長い鍵穴形状の取付け孔５４があり、その丸孔部５４ａにカム凸部５３の取付け部を挿入し、カム凸部５３を矢印方向に移動させて環状溝５３ａの軸部５３ｂを取付け孔５４のスロット部５４ｂにきつく嵌め込んで固定している。この実施例では止めネジが不要であり、簡単容易に、カム凸部を着脱することができる。
【００４０】
〔その他〕
洗浄槽と蓋体の前方又は後方に左右一対のカム凹部又はカム凸部を設けてこれらのカム作用で、蓋体の洗浄槽に対する左右方向の位置合わせを行って、左右方向の位置ずれに起因してパッキンによるシール性が低下することを回避するものの実施例を説明したが、蓋体の下面の前方及び後方の中央に前後一対のカム凹部（又はカム凸部）があり、洗浄槽の上面の前方及び後方の中央に前後一対のカム凸部（又はカム凹部）があって、蓋体が下降したときに上記カム凹部にカム凸部が嵌り合うようにすれば、蓋体の前部、後部がそれぞれのカム凹部とカム凸部とのカム作用で左右方向に位置合わせされるので、上記構成でも上記実施例と同様の作用効果を奏する。
【図面の簡単な説明】
【００４１】
【図１】は、実施例１の平面図である。
【図２】は、図１のＸ−Ｘ断面図である。
【図３】は、図１のＹ−Ｙ断面図である。
【図４】は、実施例２の図３と同様の断面図である。
【図５】は、実施例３の図３と同様の断面図である。
【図６】は、実施例４の図３と同様の断面図である。
【図７】は、実施例５の図３と同様の断面図である。
【図８】は、背景技術の断面図である。
【図９】は、図８の閉蓋状態での一部拡大図である。
【図１０】は、図９と同様の開蓋状態での一部拡大図である。
【図１１】は、従来技術の断面図である。
【図１２】は、従来技術の平面図である。
【符号の説明】
【００４２】
１：洗浄機本体
２：洗浄槽
２ａ：カム凸部
２ｇ：弾性版
２ｓ：止めネジ
３：蓋体
３ａ：カム凹部
１１：傾斜カム
１１ａ：傾斜カム面
１２：傾斜ガイド孔
２２：長孔
３１：カムローラ
３２：ガイドローラ
４２：カム弾性板
４３：カム窪み
５３：カム凸部
５３ａ：環状溝
５３ｂ：軸部
５４：取付け孔
５４ａ：丸孔部
５４ｂ：スロット部
【図１】
2008167919.tif 000003
【図２】
2008167919.tif 000004
【図３】
2008167919.tif 000005
【図４】
2008167919.tif 000006
【図５】
2008167919.tif 000007
【図６】
2008167919.tif 000008
【図７】
2008167919.tif 000009
【図８】
2008167919.tif 000010
【図９】
2008167919.tif 000011
【図１０】
2008167919.tif 000012
【図１１】
2008167919.tif 000013
【図１２】
2008167919.tif 000014